(57)【要約】  【課題】全体を紙素材化したファイル用綴じ具を提供する。  【解決手段】基板２１上に対向配置された一対の綴じ板２２、２３と、片側の綴じ板２２に固定され両綴じ板２２、２３を略平行としたときに反対側の綴じ板２３と交差して突出部を反対側の綴じ板２３より外方に突出させる綴じ桿２４と、反対側の綴じ板２３に形成された切欠２３ｂと、反対側の綴じ板２３に可動に支持され、切欠２３ｂに差し入れられた綴じ桿２４の外周面に係合して綴じ桿２４の抜出を抑止する係止位置と綴じ桿２４の外周面より離反して綴じ桿２４の抜出を許容する開放位置とをとり得る係止部材２５とを具備する綴じ具２を構成した。  【選択図】図１
2006123508.tif 000002
【特許請求の範囲】
【請求項１】
紙葉類を綴じ止めるためのものであって、
内面同士が対向するように基板上に配置された対をなす綴じ板と、
綴じ板に軸心を交差させて使用され、両綴じ板の外面間に位置する桿本体部、及び少なくとも一方の綴じ板の外面よりも外方に突出する突出部を有している綴じ桿と、
少なくとも一方の綴じ板に設けられ、綴じ桿の桿本体部の外周に係合してこの綴じ板に綴じ桿を拘束する係止部材と、
綴じ桿の突出部に関連させて設けられ、綴じ板が基板に対し揺動することを抑制して綴じ桿の綴じ板への拘束を維持する拘束維持手段と
を具備してなる綴じ具。
【請求項２】
前記係止部材において前記綴じ桿の桿本体部の外周に係合する部位である係止部が前記綴じ板の揺動に伴って変位する軌跡よりも、綴じ桿の突出部の先端の方が外側にあるように、綴じ桿の軸心方向の長さを設定することによって前記拘束維持手段を構成している請求項１記載の綴じ具。
【請求項３】
前記綴じ板が揺動または撓み変形したときに前記係止部材に係合する凹欠または突起を前記綴じ桿の突出部の外周に形成することによって前記拘束維持手段を構成している請求項１または２記載の綴じ具。
【請求項４】
前記一対の綴じ板のうち片側の綴じ板に前記綴じ桿が固定され、反対側の綴じ板に綴じ桿が抜き差しされる切欠が形成され、かつ、反対側の綴じ板に前記係止部材が可動に支持されており、
係止部材が、切欠に差し入れられた綴じ桿の桿本体部の外周面に係合してこの綴じ桿の抜出を抑止する係止位置と、綴じ桿の桿本体部の外周面より離反してこの綴じ桿の抜出を許容する開放位置とをとり得る請求項１、２または３記載の綴じ具。
【請求項５】
前記係止部材は、前記綴じ板の揺動の中心軸に対し略平行に移動可能であり、その移動方向に沿って延伸する係止部を有するものであって、
前記綴じ桿を前記切欠の終端に当接する位置まで差し入れた状態で、係止部材を前記係止位置に移動させることで係止部が切欠の開放端を閉鎖して綴じ桿の抜出を抑止し、係止部材を前記開放位置に移動させることで係止部が切欠の開放端を開放して綴じ桿の抜出を許容する請求項４記載の綴じ具。
【請求項６】
前記反対側の綴じ板は、板状体を前記基板に対し略平行な先端縁を形成するように屈曲させてなり、その内側に前記係止部材が挿入される中空通路を内包しており、
前記切欠は、反対側の綴じ板の先端縁より切り欠かれて中空通路を外部に連通するものであって、
係止部材を前記係止位置に移動させたときに、前記係止部が、反対側の綴じ板の先端縁を形成し切欠を介して隔てられる屈曲部分の双方の内周に係合する請求項５記載の綴じ具。
【請求項７】
前記中空通路に収容された前記係止部材が中空通路外に脱出してしまうことを妨げる保持要素を前記反対側の綴じ板に設けている請求項６記載の綴じ具。
【請求項８】
前記係止部材における前記係止部以外の部位を露出させるスリットを前記反対側の綴じ板の先端縁に形成して、
前記スリットを介して露出する前記係止部材の露出部位を把持可能とした請求項６または７記載の綴じ具。
【請求項９】
前記係止位置に移動させたときに前記桿本体部の外周と係わり合う係止部材の縁辺に凹凸形状を設けた請求項４、５、６、７または８記載の綴じ具。
【請求項１０】
前記綴じ桿は、長尺な筒状部材を主体としてなり、前記突出部、前記桿本体部、及び桿本体部の基端より略垂直に屈曲し桿本体部の延伸方向に沿って押し潰される取付部とを有する一方、
前記片側の綴じ板は、綴じ桿の取付部の内側面に密接する内側板部と、綴じ桿の取付部の外側面に密接する外側板部とを有しており、
綴じ桿の取付部を挟むようにして内側板部と外側板部とを接合することで綴じ桿を片側の綴じ板に取り付けている請求項１、２、３、４、５、６、７、８または９記載の綴じ具。
【請求項１１】
前記外側板部を前記基板に対し略平行な先端縁を形成するように屈曲させて、その内周面を前記内側板部の両側面に接合している請求項１０記載の綴じ具。
【請求項１２】
前記一対の綴じ板の基端がそれぞれ前記基板に一体的に連続している請求項１、２、３、４、５、６、７、８、９、１０または１１記載の綴じ具。
【請求項１３】
前記綴じ板、前記綴じ桿及び前記係止部材がそれぞれ同種の素材を用いてなるものである請求項１、２、３、４、５、６、７、８、９、１０、１１または１２記載の綴じ具。
【請求項１４】
前記綴じ板、前記綴じ桿及び前記係止部材がそれぞれ紙を素材とするものである請求項１、２、３、４、５、６、７、８、９、１０、１１、１２または１３記載の綴じ具。
【請求項１５】
前記係止部材が設けられた綴じ板が対向側の綴じ板より離反する方向に傾倒することを抑制する傾倒防止部を、当該綴じ板に付随させて設けている請求項１、２、３、４、５、６、７、８、９、１０、１１、１２、１３または１４記載の綴じ具。
【請求項１６】
前記傾倒防止部は、略直角三角柱状の外形をなし前記綴じ板の外面に接合する補強部材を要素とする請求項１５記載の綴じ具。
【請求項１７】
前記傾倒防止部は、前記綴じ板の外面より切り起こした切り起こし片を要素とする請求項１５記載の綴じ具。
【請求項１８】
前記傾倒防止部は、前記基板が接合する表紙体より切り起こした切り起こし片を要素とする請求項１５記載の綴じ具。
【請求項１９】
請求項１、２、３、４、５、６、７、８、９、１０、１１、１２、１３、１４、１５、１６、１７または１８記載の綴じ具を用いてなるものであって、
表表紙、背表紙及び裏表紙を連ねてなる表紙体の背表紙の内向面に前記綴じ具の基板を接合したファイル。
【請求項２０】
前記綴じ具及び前記表紙体がそれぞれ同種の素材を用いてなるものである請求項１９記載のファイル。
【請求項２１】
前記綴じ具及び前記表紙体がそれぞれ紙を素材としてなるものである請求項２０記載のファイル。
【請求項２２】
前記綴じ桿の突出部を挿し通すことができる貫通孔を前記表表紙または前記裏表紙に穿ってある請求項１９、２０または２１記載のファイル。
【請求項２３】
前記係止部材が設けられた綴じ板が対向側の綴じ板より離反する方向に傾倒することを抑制する傾倒防止部を、当該綴じ板に付随させて設けている請求項１９、２０、２１または２２記載のファイル。
【発明の詳細な説明】
【技術分野】
【０００１】
本発明は、複数枚の紙葉類を綴じ止める綴じ具、及びファイルに関する。
【背景技術】
【０００２】
書類等を綴じて保管または閲覧する目的で使用されるファイルの多くは、周知の通り、表紙体の内向面に紙葉類を綴じ止める綴じ具を取り付けたものである。従来、表紙体と綴じ具とは相異なる材料で作製されることが多く、例えば表紙体が厚手の紙を基材とする一方、綴じ具は合成樹脂製または金属製となっている（下記特許文献１を参照）。よって、ファイルを廃棄しまたは再資源化しようとする際には、少なくとも綴じ具を表紙体より取り外してこれらを個別に廃棄または分別回収する必要がある。
【特許文献１】特開２０００−１５８８６６号公報
【発明の開示】
【発明が解決しようとする課題】
【０００３】
上記の事実に鑑み、ファイルの表紙体のみならず綴じ具をも紙製のものとするという試みがなされている。表紙体及び綴じ具がともに紙製であれば、ファイルを表紙体と綴じ具とに分解する手順を経ることなくそのまま廃棄または再資源化することが可能となる。しかしながら、紙製の部材は金属製の部材と比較して剛性に劣り、複雑な機構を作り込むことに必ずしも向いておらず、それ故に既知の金属製の綴じ具の構造を紙製の綴じ具に流用することは困難である。
【０００４】
本発明は、特に全体を紙素材化することに適しているような、簡単な綴じ具の構造を実現しようとするものである。
【課題を解決するための手段】
【０００５】
上述した課題を解決するべく、本発明では、内面同士が対向するように基板上に配置された対をなす綴じ板と、綴じ板に軸心を交差させて使用され、両綴じ板の外面間に位置する桿本体部、及び少なくとも一方の綴じ板の外面よりも外方に突出する突出部を有している綴じ桿と、少なくとも一方の綴じ板に設けられ、綴じ桿の桿本体部の外周に係合してこの綴じ板に綴じ桿を拘束する係止部材と、綴じ桿の突出部に関連させて設けられ、綴じ板が基板に対し揺動することを抑制して綴じ桿の綴じ板への拘束を維持する拘束維持手段とを具備する綴じ具を構成した。このようなものであれば、全体を紙素材化することに適した簡単な構造の綴じ具を実現できる。
【０００６】
具体的には、前記係止部材において前記綴じ桿の桿本体部の外周に係合する部位である係止部が前記綴じ板の揺動に伴って変位する軌跡よりも、綴じ桿の突出部の先端の方が外側にあるように、綴じ桿の軸心方向の長さを設定している。つまり、何れかの側の綴じ板が揺動して綴じ桿の拘束が解除されようとしても、係止部材との係合が解消しない程度の長さだけ綴じ桿が外方に突出しているため、外力が綴じ板または綴じ桿に作用したときに綴じ桿が不用意に外れて綴じ止めていた紙葉類が脱落してしまう可能性は充分に小さくなる。また、綴じ桿を反対側の綴じ板に拘束するときに、係止部材の係止部を単に綴じ桿の桿本体部の外周面に係合させればよく、桿本体部に凹溝を彫る等の特段の加工を施さずに済む。従って、凹溝を彫る等の加工による綴じ桿の弱体化を回避できる。
【０００７】
また、綴じ桿を綴じ板に拘束している状況下で、綴じ具に多大な外力や衝撃が加わると（例えば、ファイルを誤って落下させてしまった場合）、綴じ板が揺動したり撓み変形したりして綴じ桿が抜出してしまうおそれは否定できないが、綴じ桿の突出部に凹欠または突起が形成されていれば、この凹欠または突起が係止部材に係合して綴じ桿の抜出が阻まれることとなる。
【０００８】
本発明によれば、比較的少ない部材点数で、簡単な構造の綴じ具を具現できる。そして、前記綴じ板、前記綴じ桿及び前記係止部材のそれぞれを無理なく紙を素材とするものにできる。即ち、容易に綴じ具全体を紙素材化することができる。綴じ具を紙素材化することで、綴じ具の廃棄または再資源化に好都合となる。
【０００９】
前記一対の綴じ板のうち片側の綴じ板に前記綴じ桿が固定され、反対側の綴じ板に綴じ桿が抜き差しされる切欠が形成され、かつ、反対側の綴じ板に前記係止部材が可動に支持されており、係止部材が、切欠に差し入れられた綴じ桿の桿本体部の外周面に係合してこの綴じ桿の抜出を抑止する係止位置と、綴じ桿の桿本体部の外周面より離反してこの綴じ桿の抜出を許容する開放位置とをとり得るものとすれば、簡便に操作できる好ましい綴じ具となる。
【００１０】
しかして、前記係止部材が、前記綴じ板の揺動の中心軸に対し略平行に移動可能であり、その移動方向に沿って延伸する係止部を有するものであって、前記綴じ桿を前記切欠の終端に当接する位置まで差し入れた状態で、係止部材を前記係止位置に移動させることで係止部が切欠の開放端を閉鎖して綴じ桿の抜出を抑止し、係止部材を前記開放位置に移動させることで係止部が切欠の開放端を開放して綴じ桿の抜出を許容するものとすれば、使い勝手がさらに向上する。
【００１１】
前記反対側の綴じ板は、板状体を前記基板に対し略平行な先端縁を形成するように屈曲させてなり、その内側に前記係止部材が挿入される中空通路を内包しており、前記切欠は、反対側の綴じ板の先端縁より切り欠かれて中空通路を外部に連通するものであって、係止部材を前記係止位置に移動させたときに、前記係止部が、反対側の綴じ板の先端縁を形成し切欠を介して隔てられる屈曲部分の双方の内周に係合するならば、係止部が綴じ桿を係止する構造をより頑強なものにできる。
【００１２】
加えて、前記中空通路に収容された前記係止部材が中空通路外に脱出してしまうことを妨げる保持要素を前記反対側の綴じ板に設けることも好ましい。
【００１３】
前記係止部材における前記係止部以外の部位を露出させるスリットを前記反対側の綴じ板の先端縁に形成して、前記スリットを介して露出する前記係止部材の露出部位を把持可能とすれば、係止部材を係止位置と開放位置との間で移動させる操作がより簡便となる。
【００１４】
前記係止位置に移動させたときに前記桿本体部の外周と係わり合う係止部材の縁辺に凹凸形状を設けてあれば、係止位置にある係止部材が不用意に移動して綴じ桿の拘束が解除されてしまう不具合を予防可能である。
【００１５】
前記綴じ桿は、長尺な筒状部材を主体としてなり、前記突出部、前記桿本体部、及び桿本体部の基端より略垂直に屈曲し桿本体部の延伸方向に沿って押し潰される取付部とを有する一方、前記片側の綴じ板は、綴じ桿の取付部の内側面に密接する内側板部と、綴じ桿の取付部の外側面に密接する外側板部とを有しており、綴じ桿の取付部を挟むようにして内側板部と外側板部とを接合することで綴じ桿を片側の綴じ板に取り付けているならば、綴じ桿の片側の綴じ板への取付が強固となり、しかも綴じ桿の取付部が内側板部及び外側板部によって好適に隠蔽される。
【００１６】
前記外側板部を前記基板に対し略平行な先端縁を形成するように屈曲させて、その内周面を前記内側板部の両側面に接合するならば、内側板部の外側板部への接合が強化され、ひいては綴じ桿の取付構造が非常に強固なものとなる。
【００１７】
前記一対の綴じ板の基端がそれぞれ前記基板に一体的に連続しているものであれば、これら綴じ板が基板より離脱してしまうおそれが回避される。
【００１８】
前記綴じ板、前記綴じ桿及び前記係止部材がそれぞれ同種の素材を用いてなるものであれば、綴じ具の廃棄に際してこれを個々の部材に分解する手間を省くことができる。
【００１９】
前記綴じ板、前記綴じ桿及び前記係止部材がそれぞれ紙を素材とするものであるならば、廃棄にも再資源化にも適した極めて有益な綴じ具となる。
【００２０】
なお、前記係止部材が設けられ、係止部材を介して前記綴じ桿を拘束している綴じ板が対向側の綴じ板より離反する方向に傾倒することを抑制する傾倒防止部を、当該綴じ板に付随させて設けておけば、衝撃や外力が作用したときに綴じ桿が綴じ板より外れてしまうおそれをさらに低減できる。この傾倒防止部もまた、紙素材とすることが望ましい。
【００２１】
前記傾倒防止部は、例えば、略直角三角柱状の外形をなし前記綴じ板の外面に接合する補強部材を要素とするものとする。あるいは、前記傾倒防止部を、前記綴じ板の外面より切り起こした切り起こし片を要素として構成してもよく、前記基板が接合する表紙体より切り起こした切り起こし片を要素として構成してもよい。
【００２２】
本発明に係る綴じ具をファイルの構成要素として用いるためには、表表紙、背表紙及び裏表紙を連ねてなる表紙体の背表紙の内向面に前記綴じ具の基板を接合すればよい。
【００２３】
前記綴じ具及び前記表紙体がそれぞれ同種の素材を用いてなるものであれば、ファイルの廃棄に際してこれを表紙体と綴じ具とに分解する手間を省くことができる。
【００２４】
前記綴じ具及び前記表紙体がそれぞれ紙を素材とするものであるならば、綴じ具を表紙体より取り外すことなくそのまま廃棄または再資源化することが可能な理想的なファイルとなる。
【００２５】
既に述べているように、綴じ桿を綴じ板に拘束している状態で、綴じ桿の突出部は綴じ板の外面より外方に突出している。従って、当該綴じ具を取り付けてなるファイルにおいて、綴じ桿の突出部と表紙体の表表紙または裏表紙との干渉を避けようとすると、綴じ板と表表紙または裏表紙との間に紙葉類を綴じ止めることができないデッドスペースが発生する。しかしながら、前記綴じ桿の突出部を挿し通すことができる貫通孔を前記表表紙または前記裏表紙に穿ってあれば、対向する一対の綴じ板の離間距離をファイルの背幅（背表紙の幅）に近づけることができ、より多くの量の紙葉類を綴じ止めることが可能となる、言い換えるならばデッドスペースを極小化できる。その上、綴じ桿が係止部材のみならず表紙体によっても係止されることとなるため、安定して紙葉類を綴じ止めておくことができる好ましいファイルとなる。
【発明の効果】
【００２６】
本発明によれば、全体を紙素材化するために好適な、簡単な綴じ具の構造が実現される。
【発明を実施するための最良の形態】
【００２７】
以下、本発明の一実施形態を、図面を参照して説明する。図１ないし図６に示すものは、本実施形態の綴じ具２を適用したファイルである。ファイルは、表紙体１と、表紙体１に取り付けた綴じ具２とを主要な要素とする。
【００２８】
表紙体１は、表表紙１１、背表紙１２及び裏表紙１３をヒンジを介して連ねてなる一体成形品である。この表紙体１は、紙を基材としたものである。
【００２９】
綴じ具２は、基板２１と、基板２１上に対向配置した一対の綴じ板２２、２３と、片側の綴じ板２２より反対側の綴じ板２３に向けて突出する複数本（図示例では、２本）の綴じ桿２４と、反対側の綴じ板２３に綴じ桿２４を拘束する係止部材２５とを具備し、両綴じ板２２、２３間に紙葉類を綴じ止める機能を発揮する。綴じ具２もまた、全体が紙を素材とする部材によって構成してある。
【００３０】
詳述すると、基板２１は、表紙体１の背表紙１２の内向面に接着剤等を用いて接着される部位である。基板２１の両側端は、各々の綴じ板２２、２３の基端に一体的に連続している。両綴じ板２２、２３はそれぞれ、基端縁回りに基板２１に対して揺動し得る。
【００３１】
綴じ桿２４は、片側の綴じ板２２に固定され、反対側の綴じ板２３に対して相対変位する、剛性を有するものである。本実施形態では、例えば紙を巻いて作製した長尺な筒状部材を略コ字型に屈曲させることで生ずる、並列する両端部位を２本の綴じ桿２４とし、これら綴じ桿２４の基端同士を連結する中間部位を取付部２４３としている。取付部２４３は、綴じ桿２４自体の延伸方向に沿って扁平に押し潰される。
【００３２】
片側の綴じ板２２は、綴じ桿２４が挿し通される挿通孔２２１ａを穿った内側板部２２１と、内側板部２２１の側面に接合する外側板部２２２とを有する。外側板部２２２は、基板２１の一方側の側端（裏表紙１３側の側端）に連続して立ち上がる板状体をこの基板２１に対し略平行な先端縁を形成するように屈曲させてなり、その内周に内側板部２２１を包み込む。外側板部２２２の先端縁、即ち片側の綴じ板２２の先端縁を形成する屈曲部分は、その他の部分よりも肉厚となっている。屈曲部分より先方にある部位は、内側板部２２１の内側面に接合する部位であり、やはり綴じ桿２４が挿し通される挿通孔２２２ａを穿ってある。他方、屈曲部分と基板２１との間に介在する部位は内側板部２２１の外側面に接合する部位であって、孔等を特に形成していない。
【００３３】
片側の綴じ板２２に綴じ桿２４を取り付ける構造について説明すると、図３に示すように、綴じ桿２４を内側板部２２１に穿った挿通孔２２１ａ及び外側面部２２２に穿った挿通孔２２２ａに挿し通すことで、取付部２４３を内側板部２２１に密接させるとともに、内側板部２２１を外側面部２２２の屈曲部分よりも先方にある部位に当接させる。続いて、取付部２４３もろとも内側板部２２１を包むようにして外側板部２２２を折り畳んで内側板部２２１の両側面に接着剤等を用いて接着し、最後に外側板部２２２に直交する方向に沿って両側より圧力を加えて取付部２４３、内側板部２２１及び外側板部２２２を圧縮する。結果として、綴じ桿２４が片側の綴じ板２２に強固に固定されて片側の綴じ板２２の内側面より反対側の綴じ板２３に向けて突出するものとなる。綴じ桿２４の取付部２４３は、外側板部２２２によって隠蔽される。因みに、図示例では、内側板部２２１と外側板部２２２とを別体としているが、これらが一体をなしていても構わない。
【００３４】
反対側の綴じ板２３は、基板２１の他方側の側端（表表紙１１側の側端）に連続して立ち上がる板状体をこの基板２１に対し略平行な先端縁を形成するように屈曲させてなり、その内側に係止部材２５が挿入される中空通路２３ａを内包している。反対側の綴じ板２３の先端縁を形成する屈曲部分は、その他の部分よりも肉厚となっている。屈曲部分より先方にある部位は基板２１に向かって垂下し、さらに基板２１面に到達する位置で内側方に向けて屈曲しており、基板２１面への接着に適した接着しろを構成する。反対側の綴じ板２３の先端部位には、綴じ桿２４が抜き差しされる切欠２３ｂを切り欠いてある。切欠２３ｂは、基板２１に向かう方向に延伸しており、中空通路２３ａと外部とを連通する。
【００３５】
両綴じ板２２、２３は、揺動して基板２１とのなす角度を変化させることが可能である。よって、何れかの側の綴じ板２２、２３を揺動させれば、綴じ桿２４を反対側の綴じ板２３に対して相対変位させることができる。図１、図２等に示しているように、両綴じ板２２、２３を略平行としたとき、綴じ桿２４は綴じ板２３と交差する。そして、綴じ桿２４は切欠２３ｂに差し入れられ、その先端部分が反対側の綴じ板２３の外面より所定長さ外方に突出する突出部２４２となる。この状態で、綴じ桿２４における、綴じ板２３の外面より内方にある桿本体部２４１の外周に係止部材２５を係合させることにより、綴じ桿２４の切欠２３ｂからの抜出が抑止される。
【００３６】
係止部材２５は、反対側の綴じ板２３が内包する中空通路２３ａの内寸に略対応する外形寸法をなす平板な部材である。中空通路２３ａに挿入された係止部材２５は、反対側の綴じ板２３の基端縁並びに先端縁に対し略平行な方向に移動する。係止部材２５は、切欠２３ｂの開放端を閉鎖する係止部２５１を有しており、切欠２３ｂに差し入れられた綴じ桿２４を係止する役割を担う。より具体的には、係止部材２５に、切欠２３ｂと略重なり合う形状の出入溝２５ａと、この出入溝２５ａに対し略垂直な方向に延伸する係合溝２５ｂとを切り欠いており、係合溝２５ｂよりも先端縁寄りの部位を綴じ桿２４を係止する係止部２５１としている。係止部２５１は、係止部材２５の反対側の綴じ板２３に対する相対的な移動方向に沿って延伸し、その先端が出入溝２５ａに臨んでいる。
【００３７】
反対側の綴じ板２３より脱離している綴じ桿２４を反対側の綴じ板２３に拘束する場合、切欠２３ｂと出入溝２５ａとが略重なり合う開放位置（図４に示す）に係止部材２５を移動し、両綴じ板２２、２３が略平行となるように綴じ板を揺動させて、綴じ桿２４を切欠２３ｂの終端即ち基板２１寄りの縁端に当接する位置まで差し入れる。しかる後、係合溝２５ｂと綴じ桿２４とが係合する係止位置（図５に示す）に係止部材２５を移動させる。このとき、係止部２５１が綴じ桿２４における桿本体部２４１の外周面に密接しまたは近接しながら切欠２３ｂの開放端を閉鎖して、綴じ桿２４の切欠２３ｂからの抜出を抑止する。
【００３８】
仮に、反対側の綴じ板２３が基板２１に対して揺動すると、桿本体部２４１の外周に係合する係止部２５１も変位することとなる。綴じ板２３の揺動に伴う係止部２５（の、綴じ桿２４の外周面に当接する端面）の変位の軌跡Ｔ（図６に示す）は、綴じ板２３の揺動の中心軸即ち綴じ板２３の基端縁を中心とする円弧となることは言うまでもない。本実施形態では、綴じ桿２４を反対側の綴じ板２３に拘束した状態で、突出部２４２の先端（の少なくとも一部）が上記の係止部２５の変位の軌跡Ｔの外側にある。よって、外力を受けた綴じ板２３が揺動しようとしても、綴じ桿２４の外周と係止部２５１との係合が容易に解消されないために綴じ板２３の揺動は禁止され、従って綴じ桿２４の綴じ板２３への拘束は維持される。
【００３９】
また、切欠２３ｂの開放端を閉鎖している係止部２５１の基端及び先端はそれぞれ、切欠２３ｂを介して隔てられる綴じ板２３の屈曲部分の双方の内周（図５における符号Ｘ、Ｙで示す箇所）に係合することから、確実に綴じ桿２４を係止できる。
【００４０】
逆に、反対側の綴じ板２３に拘束している綴じ桿２４を反対側の綴じ板２３より脱離させる場合には、切欠２３ｂと出入溝２５ａとが略重なり合う開放位置に係止部材２５を移動させればよい。このとき、係止部２５１が切欠２３ｂの開放端を開放して綴じ桿２４の切欠２３ｂからの抜出を許容するため、何れかの綴じ板２２、２３を揺動させて綴じ桿２４を反対側の綴じ板２３より脱離させることが可能となる。
【００４１】
ところで、両綴じ板２２、２３を略平行とした状態で反対側の綴じ板２３の外面より外方に突出する綴じ桿２４の突出部２４１には、凹欠２４２ａを形成してある。この凹欠２４２ａは、断面視略Ｖ字溝状をなすもので、綴じ桿２４の突出部２４１の反基板２１側の外周面に切り欠いてある。綴じ桿２４を綴じ板２３に拘束している状態で、綴じ板２２または綴じ桿２４に多大な外力が作用したとき、綴じ桿２４がその軸心方向に変位して切欠２３ｂより抜出しようとすることがあり得る。あるいは、綴じ板２３に多大な外力が作用したとしても、この綴じ板２３が揺動したり撓み変形したりして、相対的に綴じ桿２４が軸心方向に変位して切欠２３ｂより抜出しようとする可能性がある。しかしながら、凹欠２４２ａが係止部２５１に係合することにより、綴じ桿２４の不用意な抜出は阻まれることとなる。勿論、図７に示しているように、凹欠２４２ａに変えて突起２４２ｂを形成しても同等の効果を得ることができる。
【００４２】
但し、桿本体部２４１には特段の加工を施さない。桿本体部２４１は、通常の使用状況において、綴じ止めた紙葉類の荷重を受ける部位であると同時に、係止部２５１と接離を繰り返す部位でもあるため、耐久性が最重視される。このような理由から、桿本体部２４１に凹溝を彫る等の特段の加工を施すことを避け、桿本体部２４１の耐久性を担保している。
【００４３】
本実施形態によれば、内面同士が対向するように基板２１上に配置された対をなす綴じ板２２、２３と、綴じ板２２、２３に軸心を交差させて使用され、両綴じ板２２、２３の外面間に位置する桿本体部２４１、及び少なくとも一方の綴じ板２３の外面よりも外方に突出する突出部２４２を有している綴じ桿２４と、少なくとも一方の綴じ板２３に設けられ、綴じ桿２４の桿本体部２４１の外周に係合してこの綴じ板２３に綴じ桿２４を拘束する係止部材２５と、綴じ桿２４の突出部２４２に関連させて設けられ、綴じ板２２、２３が基板に対し揺動することを抑制して綴じ桿２４の綴じ板２３への拘束を維持する拘束維持手段とを具備する綴じ具２としたため、全体を紙素材化することに適した簡単な構造を実現できる。
【００４４】
本実施形態では、前記係止部材２５において前記綴じ桿２４の桿本体部２４１の外周に係合する部位である係止部２５１（の、綴じ桿２４の外周面に当接する端面）が前記綴じ板２３の揺動に伴って変位する軌跡Ｔよりも、綴じ桿２４の突出部２４２の先端の方が外側にあるように、綴じ桿２４の軸心方向の長さを設定していることを以て第一の拘束維持手段を構成している。つまり、何れかの側の綴じ板２２、２３が揺動して綴じ桿２４の拘束が解除されようとしても、係止部材２５との係合が解消しない程度の長さだけ綴じ桿２４が外方に突出しているため、外力が綴じ板２２、２３または綴じ桿２４に作用したときに綴じ桿２４が不用意に外れて綴じ止めていた紙葉類が脱落してしまう可能性は充分に低減される。また、綴じ桿２４を反対側の綴じ板２３に拘束するときに、係止部材２５の係止部２５１を単に桿本体部２４１の外周面に係合させればよく、桿本体部２４１に凹溝を彫る等の特段の加工を施さずに済む。従って、凹溝を彫る等の加工による綴じ桿２４の弱体化を回避できる。
【００４５】
並びに、綴じ桿２４を綴じ板２３に拘束している状況下で、綴じ具２に多大な外力や衝撃が加わると、綴じ板２２、２３が揺動したり撓み変形したりして、綴じ桿２４が切欠２３ｂより抜出してしまうおそれは否定できないが、綴じ桿２４の突出部２４２に凹欠２４２ａまたは突起２４２ｂを形成することを以て第二の拘束維持手段を構成しているため、この凹欠２４２ａまたは突起２４２ｂが係止部材２５に係合して綴じ桿２４の抜出が阻まれることとなる。
【００４６】
本実施形態の綴じ具２は、比較的少ない部材点数で構成され、その構造も簡単である。よって、前記綴じ板２２、２３、前記綴じ桿２４及び前記係止部材２５のそれぞれを無理なく紙を素材とするものにできる。即ち、容易に綴じ具２全体を紙素材化することができる。綴じ具２を紙素材化することで、綴じ具２の廃棄または再資源化に好都合となる。
【００４７】
前記一対の綴じ板２２、２３のうち片側の綴じ板２２に前記綴じ桿２４が固定され、反対側の綴じ板２３に綴じ桿２４が抜き差しされる切欠２３ｂが形成され、かつ、反対側の綴じ板２３に前記係止部材２５が可動に支持されており、係止部材２５が、切欠２３ｂに差し入れられた綴じ桿２４の桿本体部２４１の外周面に係合してこの綴じ桿２４の抜出を抑止する係止位置と、綴じ桿２４の桿本体部２４１の外周面より離反してこの綴じ桿２４の抜出を許容する開放位置とをとり得るものとしており、簡便に操作できる好ましい綴じ具２となる。
【００４８】
しかして、前記係止部材２５が、前記綴じ板２３の揺動の中心軸に対し略平行に移動可能であり、その移動方向に沿って延伸する係止部２５１を有するものであって、前記綴じ桿２４を前記切欠２３ｂの終端に当接する位置まで差し入れた状態で、係止部材２５を前記係止位置に移動させることで係止部２５１が切欠２３ｂの開放端を閉鎖して綴じ桿２４の抜出を抑止し、係止部材２５を前記開放位置に移動させることで係止部２５１が切欠２３ｂの開放端を開放して綴じ桿２４の抜出を許容するものとしているため、使い勝手がさらに向上する。
【００４９】
前記反対側の綴じ板２３は、板状体を前記基板２１に対し略平行な先端縁を形成するように屈曲させてなり、その内側に前記係止部材２５が挿入される中空通路２３ａを内包しており、前記切欠２３ｂは、反対側の綴じ板２３の先端縁より切り欠かれて中空通路２３ａを外部に連通するものであって、係止部材２５を前記係止位置に移動させたときに、前記係止部２５１が、反対側の綴じ板２３の先端縁を形成し切欠２３ｂを介して隔てられる屈曲部分の双方の内周Ｘ、Ｙに係合するため、係止部２５１が綴じ桿２４を係止する構造をより頑強なものにできる。
【００５０】
前記綴じ桿２４は、長尺な筒状部材を主体としてなり、前記突出部２４２、前記桿本体部２４１、及び桿本体部２４１の基端より略垂直に屈曲し桿本体部２４１の延伸方向に沿って押し潰される取付部２４３とを有する一方、前記片側の綴じ板２２は、綴じ桿２４の取付部２４３の内側面に密接する内側板部２２１と、綴じ桿２４の取付部２４３の外側面に密接する外側板部２２２とを有しており、綴じ桿２４の取付部２４３を挟むようにして内側板部２２１と外側板部２２２とを接合することで綴じ桿２４を片側の綴じ板２２に取り付けているため、綴じ桿２４の片側の綴じ板２２への取付が強固となり、しかも綴じ桿２４の取付部２４３が内側板部２２１及び外側板部２２２によって好適に隠蔽される。
【００５１】
前記外側板部２２２を前記基板２１に対し略平行な先端縁を形成するように屈曲させて、その内周面を前記内側板部２２１の両側面に接合しているため、内側板部２２１の外側板部２２２への接合が強化され、ひいては綴じ桿２４の取付構造が非常に強固なものとなる。特に、綴じ板２２は綴じ桿２４を反対側の綴じ板２３に挿脱する都度操作されるため、反復的な操作に対する耐久性が要求される。紙は元来剛性の低い素材ではあるが、上記の構成を採用することで、綴じ板２２自体の剛性も綴じ桿２４の綴じ板２２への取付構造も充分に強化されて、中長期にわたる使用に耐え得る耐久性が確保される。
【００５２】
前記一対の綴じ板２２、２３の基端はそれぞれ前記基板２１に一体的に連続しているため、これら綴じ板２２、２３が基板より離脱してしまうおそれは回避される。
【００５３】
前記綴じ板２２、２３、前記綴じ桿２４及び前記係止部材２５がそれぞれ同種の素材を用いてなるものであるため、綴じ具２の廃棄に際してこれを個々の部材に分解する手間を省くことができる。
【００５４】
しかも、前記綴じ板２２、２３、前記綴じ桿２４及び前記係止部材２５がそれぞれ紙を素材としており、本実施形態の綴じ具２は廃棄にも再資源化にも適した極めて有益なものとなっている。
【００５５】
また、前記綴じ具２及び前記表紙体１がそれぞれ同種の素材を用いてなるものであるため、ファイルの廃棄に際してこれを表紙体１と綴じ具２とに分解する手間を省くことができる。
【００５６】
さらには、前記綴じ具２及び前記表紙体１がそれぞれ紙を素材としており、綴じ具２を表紙体１より取り外すことなくそのまま廃棄または再資源化することが可能な理想的なファイルとなっている。
【００５７】
なお、本発明は以上に詳述した実施形態に限られるものではない。特に、上記実施形態のファイルでは、反対側の綴じ板２３と表表紙１１（または、裏表紙１３）との間に紙葉類を綴じ止めることができないデッドスペースが発生してしまう。しかし、図８、図９に示すように、前記切欠２３ｂに差し入れられた前記綴じ桿２４の突出部２４２を挿し通すことができる貫通孔１１ａを表表紙１１（または、裏表紙１３）に穿ってあれば、対向する一対の綴じ板２２、２３の離間距離をファイルの背幅に近づけることができ、より多くの紙葉類を綴じ止めることが可能となる、言い換えるならばデッドスペースを極小化できる。その上、綴じ桿２４が係止部材２５のみならず表紙体１によっても係止されることとなるため、安定して紙葉類を綴じ止めておくことができる好ましいファイルとなる。
【００５８】
綴じ桿２４の突出部２４２に凹欠２４２ａまたは突起２４２ｂを設けることは必須ではない。図１０に示すように、凹欠２４２ａ及び突起２４２ｂを設けていない綴じ桿２４とすることも可能である。この場合の綴じ具２は、上記実施形態における第二の拘束維持手段を具備していないこととなる。
【００５９】
図１１に示すように、反対側の綴じ板２３の中空通路２３ａに収容された係止部材２５が中空通路２３ａ外に脱出してしまうことを妨げる保持要素を、綴じ板２３に設けてもよい。具体的には、反対側の綴じ板２３の先端縁にスリットを形成し、このスリットを介して係止部材２５の係止部２５１以外の部位２５２を露出させている。ユーザは、露出部位２５２を把持して係止部材２５を移動操作することができる。しかして、この露出部位２５２は綴じ板２３の先端縁を形成する屈曲部分の内周より突出しており、露出部位２５２がスリットの端縁２３ｃと係わり合うことで係止部材２５の中空通路２３ａからの脱出が阻まれる。つまり、図１１に示す例では、綴じ板２３の先端縁の屈曲部分に設定された係合縁部２３ｃと係止部材２５の露出部位２５２とが協働して、保持要素としての作用を営む。
【００６０】
図１２に示すように、係止部材２５に形成すべき係合溝２５ｂを、出入溝２５ａと交わる両方向に延伸させても構わない。
【００６１】
図１３、図１４に示すように、係止位置に移動させたときに桿本体部２４１の外周面と係わり合う係止部材２５の縁辺、即ち係合溝２５ｂの縁辺に凹凸形状を形成してもよい。この凹凸形状は、綴じ桿２４の外周と係わり合うことを通じて、係止部材２５の中空通路２３ａに沿った移動を抑制するために働く。これにより、係止部材２５が不用意に移動して綴じ桿２４の拘束が解除されてしまう不具合を予防可能となる。
【００６２】
本発明に係る綴じ具２２における基板２１は、表紙体１の背表紙１２そのものであってもよい。即ち、綴じ板２２、２３が直接的に背表紙１２に取り付けられているような態様を妨げない。
【００６３】
綴じ桿２４が固定される片側の綴じ板２２は、表紙体１の裏表紙１３（または、表表紙１１）そのものであってもよい。即ち、綴じ桿２４が直接的に裏表紙１３（または、表表紙１１）に取り付けられているような態様を妨げない。
【００６４】
並びに、綴じ具２を表紙体１に取り付けることなく、単独で使用することも考えられる。つまり、特許請求の範囲に記載の請求項１ないし請求項１１に係る綴じ具において、表紙体１は必須の構成要素ではない。
【００６５】
また、係止部材２５を介して綴じ桿２４を拘束している綴じ板２３が対向側の綴じ板２２より離反する方向に傾倒すると、綴じ桿２４が外れて綴じ止めていた紙葉類が脱落してしまうおそれがあるが、このような事象に対処するべく、予め綴じ板２３の傾倒を抑制する傾倒防止部２６、１４を綴じ板２３に付随させて設けておくことも考えられる。例えば、図１５、図１６に示すように、綴じ板２３の外面に補強部材２６１を接合し、かつこの補強部材２６１を背表紙１２の内向面に接合して傾倒防止部２６を構成する。図１５及び図１６に示している補強部材２６１は略直角三角柱状の外形をなし、綴じ板２３を基板２１に対し略直交する姿勢に維持する。補強部材２６１は、綴じ具２や表紙体１と同種の素材即ち紙を用いて作製することが望ましい。
【００６６】
図１７、または図１８に示すように、綴じ板２３の外面より切り起こし片２６２、２６３を切り起こして傾倒防止部２６を構成することもできる。切り起こし片２６２、２６３は、綴じ板２３の外面を形成する部位に連続し、当該部位より屈曲して外側方に突き出るもので、背表紙１２の内向面と交差して綴じ板２３の傾倒を抑制する。加えて、図１８に示しているように、切り起こし片２６３の背表紙１２側の端部を基板２１と略面一となるように折り曲げて、背表紙１２の内向面に接着する接着しろ２６３ａとしてもよい。図１８に示している綴じ具２の基板２１ないし綴じ板２２、２３の展開図を、図１９に示す。図中、実線が切り取り線、点線が山折り線、鎖線が谷折り線である。切り起こし片２６３は、綴じ板２３の外面と基板２１面とにまたがって略Ｌ字型の輪郭をなすように切り出される。この展開図から基板２１、綴じ板２２、２３及び切り起こし片２６３を折曲成形したときに、切り起こし片２６３の接着しろ２６３ａの一部が綴じ板２３よりも内側方に進入する。因みに、切り起こし片２６２、２６３の配置は図１７または図１８、図１９に示す態様には限られず、図２０に例示するようにその数を増減させることが許される。
【００６７】
また、図２１に示すように、表紙体１より切り起こした切り起こし片１２１を以て傾倒防止部１４を構成することも可能である。図示例では、綴じ具２の基板２１が接合している部位、即ち背表紙１２の内向面に切り起こし片１２１を形成している。切り起こし片１２１は、綴じ板２３の外面近傍にあってこの綴じ板２３に対し交差するように（特に、切り起こし片１２１と背表紙１２との交線（谷折り線）が、綴じ板２３の基端縁に対し交差するように）立上がり、綴じ板２３の傾倒を抑制する。
【００６８】
その他各部の具体的構成は上記実施形態に限られるものではなく、本発明の趣旨を逸脱しない範囲で種々変形が可能である。
【図面の簡単な説明】
【００６９】
【図１】本発明の一実施形態におけるファイルを示す斜視図。
【図２】同要部横断面図。
【図３】綴じ桿の片側の綴じ板への取付構造を示す要部分解斜視図。
【図４】係止部材を開放位置に位置づけた状態を示す要部縦断面図。
【図５】係止部材を係止位置に位置づけた状態を示す要部横断面図。
【図６】同要部横断面図。
【図７】本発明の変形例の一を示す要部横断面図。
【図８】本発明の変形例の一を示す斜視図。
【図９】同要部平面図。
【図１０】本発明の変形例の一を示す要部横断面図。
【図１１】本発明の変形例の一を示す要部縦断面図。
【図１２】本発明の変形例の一を示す要部縦断面図。
【図１３】本発明の変形例の一を示す要部縦断面図。
【図１４】本発明の変形例の一を示す要部縦断面図。
【図１５】本発明の変形例の一を示す斜視図。
【図１６】同要部横断面図。
【図１７】本発明の変形例の一を示す斜視図。
【図１８】本発明の変形例の一を示す斜視図。
【図１９】同要部展開図。
【図２０】本発明の変形例の一を示す要部展開図。
【図２１】本発明の変形例の一を示す斜視図。
【符号の説明】
【００７０】
１…表紙体
１２…背表紙
２…綴じ具
２１…基板
２２…片側の綴じ板
２３…反対側の綴じ板
２３ｂ…切欠
２４…綴じ桿
２４１…桿本体部
２４２…突出部
２５…係止部材
２５１…係止部
２６、１４…傾倒防止部
【図１】
2006123508.tif 000003
【図２】
2006123508.tif 000004
【図３】
2006123508.tif 000005
【図４】
2006123508.tif 000006
【図５】
2006123508.tif 000007
【図６】
2006123508.tif 000008
【図７】
2006123508.tif 000009
【図８】
2006123508.tif 000010
【図９】
2006123508.tif 000011
【図１０】
2006123508.tif 000012
【図１１】
2006123508.tif 000013
【図１２】
2006123508.tif 000014
【図１３】
2006123508.tif 000015
【図１４】
2006123508.tif 000016
【図１５】
2006123508.tif 000017
【図１６】
2006123508.tif 000018
【図１７】
2006123508.tif 000019
【図１８】
2006123508.tif 000020
【図１９】
2006123508.tif 000021
【図２０】
2006123508.tif 000022
【図２１】
2006123508.tif 000023